(57)【要約】【課題】複数の信号線とドレイン線とを有するケーブルに接続されるコネクタであって、コネクタに対するケーブルの接続工程における作業効率の向上が図られたコネクタを提供すること。【解決手段】信号導体を有する複数の信号線とドレイン線とを有するケーブルに接続されるコネクタであって、信号導体と夫々接続される複数のコンタクトと、複数のコンタクトを保持する保持部材と、保持部材を少なくとも部分的に覆うシェルとを備え、所定方向に沿った接続処理により信号導体がコンタクトに接続されるコネクタにおいて、所定方向において保持部材を貫通する端部収容部を設け、端部収容部内に露出するドレイン線固定部をシェルに備え、ドレイン線は、端部収容部内においてドレイン線固定部に固定されるようにする。【選択図】図１
2012018779.tif 000002
【特許請求の範囲】
【請求項１】
信号導体を有する複数の信号線とドレイン線とを有するケーブルに接続され、前記信号導体と夫々接続される複数のコンタクトと、前記複数のコンタクトを保持する保持部材と、前記保持部材を少なくとも部分的に覆うシェルとを備えるコネクタにおいて、
前記信号導体は、所定方向に沿った接続処理により前記コンタクトに接続されるものであり、
前記保持部材には、前記ドレイン線の端部を収容するための端部収容部が、前記所定方向において当該保持部材を貫通するように設けられており、
前記シェルは、前記端部収容部内に露出するドレイン線固定部を有しており、
前記ドレイン線は、前記端部収容部内において前記ドレイン線固定部に固定される
コネクタ。
【請求項２】
請求項１記載のコネクタであって、
前記シェルは、ベースシェルとカバーシェルとを備えており、
前記ドレイン線固定部は、前記ベースシェルに設けられており、
前記カバーシェルには、前記所定方向に延びると共に前記端部収容部内に配置されるシェル接続部が設けられており、
前記端部収容部内において前記ドレイン線が前記ドレイン線固定部に固定される際に前記シェル接続部にも接続固定される
コネクタ。
【請求項３】
請求項２記載のコネクタであって、
前記ベースシェルは、前記ドレイン線固定部から前記所定方向の逆方向に延び、前記端部収容部内に配された接続補強部を更に有している
コネクタ。
【請求項４】
請求項３記載のコネクタであって、
前記接続補強部は、前記端部収容部内において前記シェル接続部と対向するように設けられている
コネクタ。
【請求項５】
請求項２乃至請求項４のいずれかに記載のコネクタであって、
前記ドレイン線固定部から前記カバーシェルまでの距離は、前記ドレイン線の外形よりも大きい
コネクタ。
【請求項６】
請求項１乃至請求項５のいずれかに記載のコネクタであって、
前記ドレイン線は、前記ドレイン線固定部に対して半田付けされる
コネクタ。
【請求項７】
請求項１乃至請求項６のいずれかに記載のコネクタであって、
前記複数のコンタクトは、前記所定方向と直交するピッチ方向において前記保持部材に列設保持されており、
前記端部収容部及び前記ドレイン線固定部のそれぞれ一つを１組として、２組あり、
前記複数のコンタクトは、前記ピッチ方向において、前記２組の前記端部収容部及び前記ドレイン線固定部の間に位置している
コネクタ。
【請求項８】
請求項７記載のコネクタであって、
前記ケーブルは、前記所定方向と直交する延設方向に延びるように前記コネクタに接続されるものであり、
前記シェルは、前記延設方向において前記端部収容部と近接し且つ前記ピッチ方向において前記端部収容部に対応する位置上に亘るように帯状に延び、前記保持部材を前記所定方向において互いに挟むように設けられた第１平面部及び第２平面部を備えている
コネクタ。
【請求項９】
請求項１乃至請求項８のいずれかに記載のコネクタであって、
前記ケーブルは、前記所定方向と直交する延設方向に延びるように前記コネクタに接続されるものであり、
前記端部収容部は、前記保持部材の前記延設方向における一端から前記延設方向に向けて設けられた凹部である
コネクタ。
【発明の詳細な説明】
【技術分野】
【０００１】
本発明は、複数の信号線とドレイン線とを有するケーブルに接続されるコネクタに関する。
【背景技術】
【０００２】
複数の信号線と接続されるコネクタとしては、例えば、特許文献１に開示されたものがある。但し、特許文献１では、コネクタに対するドレイン線の接続については考慮されていない。
【０００３】
ドレイン線又はシールド線を接続する部位を有するコネクタとしては、例えば、特許文献２に開示されたものがある。
【先行技術文献】
【特許文献】
【０００４】
【特許文献１】特開２００９−１９３９１６号公報
【特許文献２】特開２００４−３１９１９６号公報
【発明の概要】
【発明が解決しようとする課題】
【０００５】
本発明は、複数の信号線とドレイン線とを有するケーブルに接続されるコネクタであって、コネクタに対するケーブルの接続工程における作業効率の向上が図られたコネクタを提供することを目的とする。
【課題を解決するための手段】
【０００６】
本発明によれば、第１のコネクタとして、
信号導体を有する複数の信号線とドレイン線とを有するケーブルに接続され、前記信号導体と夫々接続される複数のコンタクトと、前記複数のコンタクトを保持する保持部材と、前記保持部材を少なくとも部分的に覆うシェルとを備えるコネクタにおいて、
前記信号導体は、所定方向に沿った接続処理により前記コンタクトに接続されるものであり、
前記保持部材には、前記ドレイン線の端部を収容するための端部収容部が、前記所定方向において当該保持部材を貫通するように設けられており、
前記シェルは、前記端部収容部内に露出するドレイン線固定部を有しており、
前記ドレイン線は、前記端部収容部内において前記ドレイン線固定部に固定される
コネクタが得られる。
【０００７】
また、本発明によれば、第２のコネクタとして、第１のコネクタにおいて、
前記シェルは、ベースシェルとカバーシェルとを備えており、
前記ドレイン線固定部は、前記ベースシェルに設けられており、
前記カバーシェルには、前記所定方向に延びると共に前記端部収容部内に配置されるシェル接続部が設けられており、
前記端部収容部内において前記ドレイン線が前記ドレイン線固定部に固定される際に前記シェル接続部にも接続固定される
コネクタが得られる。
【０００８】
また、本発明によれば、第３のコネクタとして、第２のコネクタにおいて、
前記ベースシェルは、前記ドレイン線固定部から前記所定方向の逆方向に延び、前記端部収容部内に配された接続補強部を更に有している
コネクタが得られる。
【０００９】
また、本発明によれば、第４のコネクタとして、第３のコネクタにおいて、
前記接続補強部は、前記端部収容部内において前記シェル接続部と対向するように設けられている
コネクタが得られる。
【００１０】
また、本発明によれば、第５のコネクタとして、第２乃至第４のコネクタのいずれかにおいて、
前記ドレイン線固定部から前記カバーシェルまでの距離は、前記ドレイン線の外形よりも大きい
コネクタが得られる。
【００１１】
また、本発明によれば、第６のコネクタとして、第１乃至第５のコネクタのいずれかにおいて、
前記ドレイン線は、前記ドレイン線固定部に対して半田付けされる
コネクタが得られる。
【００１２】
また、本発明によれば、第７のコネクタとして、第１乃至第６のコネクタのいずれかにおいて、
前記複数のコンタクトは、前記所定方向と直交するピッチ方向において前記保持部材に列設保持されており、
前記端部収容部及び前記ドレイン線固定部のそれぞれ一つを１組として、２組あり、
前記複数のコンタクトは、前記ピッチ方向において、前記２組の前記端部収容部及び前記ドレイン線固定部の間に位置している
コネクタが得られる。
【００１３】
また、本発明によれば、第８のコネクタとして、第７のコネクタにおいて、
前記ケーブルは、前記所定方向と直交する延設方向に延びるように前記コネクタに接続されるものであり、
前記シェルは、前記延設方向において前記端部収容部と近接し且つ前記ピッチ方向において前記端部収容部に対応する位置上に亘るように帯状に延び、前記保持部材を前記所定方向において互いに挟むように設けられた第１平面部及び第２平面部を備えている
コネクタが得られる。
【００１４】
また、本発明によれば、第９のコネクタとして、第１乃至第８のコネクタのいずれかにおいて、
前記ケーブルは、前記所定方向と直交する延設方向に延びるように前記コネクタに接続されるものであり、
前記端部収容部は、前記保持部材の前記延設方向における一端から前記延設方向に向けて設けられた凹部である
コネクタが得られる。
【発明の効果】
【００１５】
一般に、信号線の信号導体とコンタクトとの半田接続等の接続処理は、複数の信号線に対してパルスヒートユニット等の機械を用いて例えば上方から同時に行われる。この場合、上方から下方に向かう方向が所定方向となる。本発明によれば、ドレイン線固定部が保持部材の端部収容部内に所定方向に沿って視認可能となるように設けられていることから、ドレイン線固定部上にドレイン線の端部を配置し、端部収容部内において所定方向に沿ってドレイン線固定部とドレイン線との接続処理を行うことができる。即ち、本発明によれば、信号線の信号導体とコンタクトとの接続処理を行った後、コネクタを裏返すことなく、ドレイン線とドレイン線固定部との接続処理を行うことができる。
【００１６】
コネクタの薄型化・低背化実現のためにシェルをベースシェルとカバーシェルとの２つに分け、保持部材の形成時にモールドイン法によりベースシェルを保持部材に組み込む一方で、ケーブルのコネクタへの接続（具体的には、信号導体とコンタクトとの接続）後にカバーシェルを保持部材に対して取り付ける場合がある。その場合において、ドレイン線固定部をベースシェル側に設ける一方で、カバーシェルにシェル接続部を設け、ドレイン線とドレイン線固定部との接続時に端部収容部内においてドレイン線をカバーシェルのシェル接続部にも接続することとすると、カバーシェル、ドレイン線及びベースシェルの三者の強固な電気的接続が得られることから、シールド特性の向上を図ることができる。
【図面の簡単な説明】
【００１７】
【図１】本発明の実施の形態によるコネクタ（第１コネクタ）を、ケーブルと接続されている状態において示す斜視図である。
【図２】図１のコネクタの上面図である。なお、VI-VI線はコネクタを１本の信号線の中心軸を通るＸＺ平面で切断する切断線である。
【図３】図１のコネクタの底面図である。
【図４】図２のコネクタのVI-VI断面図である。
【図５】図１のコネクタがドレイン線と接続されていない状態において、端部収容部付近を左方向に向かって見る斜視図である。
【図６】図１のコネクタがドレイン線と接続されていない状態において、端部収容部付近を右方向に向かって見る斜視図である。
【図７】図１のコネクタがドレイン線と接続されていない状態における、端部収容部付近の背面図である。なお、端部収容部の大きさと対比するためドレイン線の外形を破線で示している。
【図８】図１のコネクタ及び第２コネクタを示す斜視図である。
【図９】図１のコネクタが第２コネクタと接続されている状態を示す斜視図である。
【発明を実施するための形態】
【００１８】
以下、本発明の実施の形態（以下「本実施形態」という。）について図面を使用して説明する。
なお、以下の説明において方向を示す場合は、各図面に記載した互いに直交するＸＹＺの３軸を使用するほか、次のように記載する場合がある。
（１）Ｘ方向を「前」、−Ｘ方向（Ｘ方向の反対側方向）を「後」
（２）Ｙ方向を「右」、−Ｙ方向（Ｙ方向の反対側方向）を「左」
（３）Ｚ方向を「下」、−Ｚ方向（Ｚ方向の反対側方向）を「上」
（４）各部材のＹ方向または−Ｙ方向の面を「側面」
（５）各部材のＺ方向の面を「底面」
【００１９】
図１乃至図３に示されるように、本実施形態によるコネクタ１００は、左右方向（Ｙ方向）に長く延びた板状の形状を有している。コネクタ１００には、絶縁被覆６０５（図４参照）で被覆された信号導体６０３を有する複数の信号線（ディスクリート線）６０２とドレイン線６０４とを有するケーブル６００が接続される。コネクタ１００は、導電性材料からなり信号導体６０３と夫々接続される複数のコンタクト５００と、複数のコンタクト５００を保持する絶縁性の保持部材２００と、導電性材料からなり保持部材２００の一部を底面側から覆うベースシェル（シェル）３００と、導電性材料からなり保持部材２００の一部を上面側から覆うカバーシェル（シェル）４００とを備えている。
【００２０】
本実施形態によるコネクタ（第１コネクタ）１００はプラグコネクタであり、保持部材２００の前端部分にはＸ方向に突出しＹ方向に沿って延びる嵌合凸部２０６が形成されている。一方、図８に示されるように、嵌合の相手側となる第２コネクタ（レセプタクルコネクタ）７００は、嵌合凸部２０６と対応する形状に形成された嵌合凹部７０２を−Ｘ方向の先端部分に備えている。コネクタ（第１コネクタ）１００の嵌合凸部２０６は第２コネクタ７００の嵌合凹部７０２に嵌合され、図９に示されるようにコネクタ組立体が構成される。
【００２１】
図１乃至図３に示されるように、保持部材２００の後方部分には、左右方向に突出した突出部２０４が形成されている。左右の突出部２０４には、ドレイン線６０４の端部を収容するための端部収容部２０２が形成されている。端部収容部２０２は、保持部材２００を上方から下方に向けて、即ちＺ方向（所定方向）に貫通しており、保持部材２００の後面（−Ｘ方向の端面）に向けて開口している。
【００２２】
図４から理解されるように、コンタクト５００は、Ｘ方向（延設方向）に向かって延びている。コンタクト５００はモールドイン法により保持部材２００に埋設されており、後端部分５０２は信号導体６０３と結線可能になっている。一方、コンタクト５００の前端部分５０４は保持部材２００の上面に沿って嵌合凸部２０６の先端まで延び、前端部分５０４の先端は後方に折り返して保持部材２００に埋設されている。図１乃至図３に示されるように、コンタクト５００は複数備えられており、Ｚ方向（所定方向）と直交するＹ方向（ピッチ方向）において、保持部材２００に列設保持されている。
【００２３】
図４から理解されるように、コネクタ１００にケーブル６００を接続する際、信号線６０２の信号導体６０３は、コンタクト５００の後端部分５０２上に配置され、Ｚ方向（所定方向）に沿った接続処理によりコンタクト５００の後端部分５０２に例えば半田付けにより接続される。このとき、図１に示されるように、ケーブル６００は、Ｚ方向（所定方向）と直交するＸ方向（延設方向）に延びるようにコネクタ１００に接続される。
【００２４】
図１、図３及び図４から理解されるように、ベースシェル３００はモールドイン法により、下面を露出した状態で保持部材２００の底面部分に埋設されている。図３に最もよく示されているように、ベースシェル３００は、保持部材２００の底面の大部分を（少なくとも部分的に）覆っており、これによりコネクタ１００の底面には第２平面部３０６が形成されている。図２及び図３から理解されるように、第２平面部３０６は、Ｘ方向（延設方向）において端部収容部２０２と近接し、且つ、Ｙ方向（ピッチ方向）において端部収容部２０２に対応する位置上に亘るように、帯状に延びている。
【００２５】
図１、図２及び図４に示されるように、コネクタ１００に信号線６０２を接続させた状態において、カバーシェル４００がコネクタ１００に上方から取り付けられている。カバーシェル４００は、保持部材２００の上面の大部分を（少なくとも部分的に）覆っており、これによりコネクタ１００の上面には第１平面部４０４が形成されている。図１及び図２に示されるように、第１平面部４０４は、Ｘ方向（延設方向）において端部収容部２０２と近接し、且つ、Ｙ方向（ピッチ方向）において端部収容部２０２に対応する位置上に亘るように、帯状に延びている。第１平面部４０４と第２平面部３０６とは、保持部材２００をＺ方向（所定方向）において互いに挟むように設けられており、それぞれに高い密着性をもってシールドテープを貼付することができる。
【００２６】
図５乃至図７に示されるように、ベースシェル３００は、２つの端部収容部２０２の下面をそれぞれ塞ぎ、且つ、端部収容部２０２内に露出するドレイン線固定部３０２を有している。コネクタ１００は、端部収容部２０２とドレイン線固定部３０２のそれぞれ一つを１組として２組有しており、複数のコンタクト５００は、Ｙ方向（ピッチ方向）において、２組の端部収容部２０２及びドレイン線固定部３０２の間に位置している。言い換えれば、２つのドレイン線固定部３０２は、ベースシェル３００のＹ方向（ピッチ方向）の両端に設けられている。更に、ベースシェル３００は、端部収容部２０２内に配された接続補強部３０４を有している。接続補強部３０４は、端部収容部２０２の一方の側壁を覆うように、ドレイン線固定部３０２から第１平面部４０４付近まで−Ｚ方向（所定方向の逆方向）に延びている。一方、カバーシェル４００には、端部収容部２０２内に配置されるシェル接続部４０２が設けられている。シェル接続部４０２は、端部収容部２０２の他方の側壁を覆うように、第１平面部４０４からドレイン線固定部３０２付近までＺ方向（所定方向）に延びている。即ち、接続補強部３０４は、端部収容部２０２内においてシェル接続部４０２とＹ方向において対向するように設けられている。
【００２７】
図１及び図２から理解されるように、ケーブル６００の２つのドレイン線６０４の端部は、それぞれ端部収容部２０２に収容され、半田付け等によって端部収容部２０２内に固定される。詳しくは、図２、図５及び図６から理解されるように、ドレイン線６０４の端部は半田付け等によってドレイン線固定部３０２に固定される。その際、ドレイン線６０４の端部は同様にシェル接続部４０２にも接続固定される。これによって、カバーシェル４００、ドレイン線６０４及びベースシェル３００の三者が強固に機械的に接続され、かつ電気的接続され、シールド特性の向上を図ることができる。また、端部収容部２０２はカバーシェル４００を取り付けた状態においても上方に開放しているため、端部収容部２０２内においてＺ方向（所定方向）に沿ってドレイン線固定部３０２とドレイン線６０４を視認しつつ接続処理を行うことができる。即ち、信号導体６０３とコンタクト５００の接続処理を行った後に、コネクタ１００を裏返すことなくドレイン線６０４をドレイン線固定部３０２に接続することができることから、作業効率の向上を図ることができる。さらに、端部収容部２０２内に接続補強部３０４を配したことから、半田付けによるベースシェル３００とカバーシェル４００との機械的接続を補強することができる。
【００２８】
本実施形態において、図７に示されるように、ドレイン線６０４の端部全体が端部収容部２０２の内部に収まっている。即ち、ドレイン線固定部３０２からカバーシェル４００までの距離（Ｌ１）は、ドレイン線６０４の外形（Ｌ０）よりも大きく形成されている。これにより、半田付けのためのスペースが充分に確保され、端部収容部２０２よりも上方への半田の突出を防止することができる。
【００２９】
なお、本実施形態における端部収容部２０２は、保持部材２００の後端面から、即ちＸ方向（延設方向）における一端から延設方向内側に向かって凹んだ凹部として形成されているが、端部収容部２０２の位置はこれに限られない。例えば、保持部材２００の端部から離れた場所であってコンタクト５００が列設されている範囲外の場所に、Ｚ方向（所定方向）に向かって凹んだ凹部を形成して端部収容部２０２としてもよい。また、この場合、保持部材２００の端部から端部収容部２０２まで、ドレイン線６０４の端部をガイドするガイド溝を設けても良い。さらに、本実施形態における端部収容部２０２は略直方体形状に形成されているが、端部収容部２０２の形状はこれに限られない。例えば、Ｘ方向に見たとき上辺が底辺よりも長い台形形状に形成されていてもよい。
【００３０】
また、本実施形態におけるコネクタ１００は、シールド部材としてベースシェル３００とカバーシェル４００の２つのシェルを備えているが、ベースシェル３００とカバーシェル４００を一体に形成することとしてもよい。
【００３１】
さらに、本実施形態におけるコネクタ１００は、レセプタクルコネクタと接続されるプラグコネクタであるが、シールド材を備えドレイン線が接続されるコネクタであれば本発明を適用することが可能である。
【符号の説明】
【００３２】
１００        コネクタ（第１コネクタ）
２００        保持部材
２０２        端部収容部
２０４        突出部
２０６        嵌合凸部
３００        ベースシェル
３０２        ドレイン線固定部
３０４        接続補強部
３０６        第２平面部
４００        カバーシェル
４０２        シェル接続部
４０４        第１平面部
５００        コンタクト
５０２        後端部分
５０４        前端部分
６００        ケーブル
６０２        信号線
６０３        信号導体
６０４        ドレイン線
６０５        絶縁被覆
７００        第２コネクタ
７０２        嵌合凹部
【図１】
2012018779.tif 000003
【図２】
2012018779.tif 000004
【図３】
2012018779.tif 000005
【図４】
2012018779.tif 000006
【図５】
2012018779.tif 000007
【図６】
2012018779.tif 000008
【図７】
2012018779.tif 000009
【図８】
2012018779.tif 000010
【図９】
2012018779.tif 000011